【手続補正書】
【提出日】平成23年10月6日(2011.10.6)
【手続補正１】
【補正対象書類名】特許請求の範囲
【補正対象項目名】全文
【補正方法】変更
【補正の内容】
【特許請求の範囲】
【請求項１】
表示素子と光学フィルムとの貼り付け方法において、
開閉可能な密閉型容器内に設けられていて、平坦面に形成された光学フィルム載置面を有する通気性ステージの上に、粘着面が形成されている前記光学フィルムの当該粘着面とは反対面を前記ステージに対向させて配置し、前記通気性ステージ内の空気を前記密閉型容器外に排気することにより前記通気性ステージ内を減圧して前記通気性ステージ上に前記光学フィルムを吸着する工程と、
前記通気性ステージ上に吸着された前記光学フィルムの上に、前記表示素子の貼り付け面を前記光学フィルムの前記粘着面に対向させて配置する工程と、
前記密閉型容器を密閉して前記容器内を減圧して前記密閉型容器内と前記通気性ステージ内とに気圧差を生じさせ、当該気圧差により前記光学フィルムを中央部から周縁部に向かって前記表示素子に貼り付ける工程と、
を備えることを特徴とする表示素子と光学フィルムの貼り付け方法。
【請求項２】
前記密閉型容器内が減圧された状態で前記通気性ステージ内の減圧により前記光学フィルムの吸着を解除し、前記通気性ステージへの前記光学フィルムの吸着力に、前記光学フィルムの前記中央部から前記周縁部に向かって弱くなる勾配を持たせて、前記光学フィルムを前記中央部から前記周縁部に向かって前記表示素子に引き付けて前記表示素子に貼り付けることを特徴とする請求項１に記載の表示素子と光学フィルムの貼り付け方法。
【請求項３】
前記通気性ステージは中央部に通気孔が配置され、当該通気孔から前記通気性ステージ内に空気を流入させて、前記通気性ステージへの前記光学フィルムの吸着力に、前記通気孔を中心にして前記光学フィルムの前記中央部から前記周縁部に向かって弱くなる勾配を形成することを特徴とする請求項２に記載の表示素子と光学フィルムの貼り付け方法。
【請求項４】
前記通気性ステージは前記光学フィルムが載置される領域の中央に対応する中央ステージ部材と、前記中央ステージ部材の周囲を同心状に囲む枠形状に形成された複数の枠状ステージ部材と、が隣り合うステージ部材間を気密状態に遮断して配置された分割型ステージからなり、
前記通気性ステージ上に前記光学フィルムを載置し、前記通気性ステージの各ステージ部材内の空気を排気して前記通気性ステージ上に前記光学フィルムを吸着し、前記密閉型容器内を減圧した後、前記各ステージ部材内の気圧を前記中央ステージ部材から外側の前記枠状ステージ部材に向かって順に昇圧させて、前記光学フィルムを前記中央部から前記周縁部に向かって押し付けて前記表示素子に貼り付けることを特徴とする請求項１に記載の表示素子と光学フィルムの貼り付け方法。
【請求項５】
前記通気性ステージは板状の多孔質材からなり、前記光学フィルムの外形よりも小さい平面形状に形成されており、前記通気性ステージの上面全体が前記光学フィルム載置面となることを特徴とする請求項１乃至４のいずれかに記載の表示素子と光学フィルムの貼り付け方法。
【請求項６】
前記多孔質材は多孔質セラミックであることを特徴とする請求項５に記載の表示素子と光学フィルムの貼り付け方法。
【請求項７】
前記光学フィルムは偏光板、または、位相差板が一体的に積層して形成された位相差板付き偏光板であり、前記表示素子に対する前記貼り付け面に、粘着剤が塗布された前記粘着面が形成されていることを特徴とする請求項１乃至６のいずれかに記載の表示素子と光学フィルムの貼り付け方法。
【請求項８】
前記表示素子は前記通気性ステージに吸着された前記光学フィルムの上に、前記光学フィルムの前記粘着面に粘着しないように重ねて配置されるか、または、前記光学フィルムとの間に間隙を設けて配置されることを特徴とする請求項１乃至７のいずれかに記載の表示素子と光学フィルムの貼り付け方法。
【請求項９】
前記光学フィルムには、前記周縁部から前記中央部に向かって前記粘着面の方向に膨らむ湾曲した反り癖が予め付加されていることを特徴とする請求項１乃至８のいずれかに記載の表示素子と光学フィルムの貼り付け方法。
【請求項１０】
前記光学フィルムを前記表示素子に貼り付けた後に、ローラ掛けにより、前記光学フィルムと前記表示素子とをさらに強く貼り付けることを特徴とする請求項１乃至９のいずれかに記載の表示素子と光学フィルムの貼り付け方法。
【請求項１１】
前記ローラ掛けは、前記光学フィルムの前記中央部に対応する部分から開始することを特徴とする請求項１０に記載の表示素子と光学フィルムの貼り付け方法。
【手続補正２】
【補正対象書類名】明細書
【補正対象項目名】０００５
【補正方法】変更
【補正の内容】
【０００５】
この発明の請求項１に記載の表示素子と光学フィルムの貼り付け方法は、表示素子と光学フィルムとの貼り付け方法において、開閉可能な密閉型容器内に設けられていて、平坦面に形成された光学フィルム載置面を有する通気性ステージの上に、粘着面が形成されている前記光学フィルムの当該粘着面とは反対面を前記ステージに対向させて配置し、前記通気性ステージ内の空気を前記密閉型容器外に排気することにより前記通気性ステージ内を減圧して前記通気性ステージ上に前記光学フィルムを吸着する工程と、前記通気性ステージ上に吸着された前記光学フィルムの上に、前記表示素子の貼り付け面を前記光学フィルムの前記粘着面に対向させて配置する工程と、前記密閉型容器を密閉して前記容器内を減圧して前記密閉型容器内と前記通気性ステージ内とに気圧差を生じさせ、当該気圧差により前記光学フィルムを中央部から周縁部に向かって前記表示素子に貼り付ける工程と、を備えることを特徴とする。
【手続補正３】
【補正対象書類名】明細書
【補正対象項目名】０００６
【補正方法】変更
【補正の内容】
【０００６】
請求項２に記載の発明は、前記請求項１に記載の表示素子と光学フィルムの貼り付け方法において、前記密閉型容器内が減圧された状態で前記通気性ステージ内の減圧により前記光学フィルムの吸着を解除し、前記通気性ステージへの前記光学フィルムの吸着力に、前記光学フィルムの前記中央部から前記周縁部に向かって弱くなる勾配を持たせて、前記光学フィルムを前記中央部から前記周縁部に向かって前記表示素子に引き付けて前記表示素子に貼り付けることを特徴とする。
また、請求項３に記載の発明は、前記請求項２に記載の表示素子と光学フィルムの貼り付け方法において、前記通気性ステージは中央部に通気孔が配置され、当該通気孔から前記通気性ステージ内に空気を流入させて、前記通気性ステージへの前記光学フィルムの吸着力に、前記通気孔を中心にして前記光学フィルムの前記中央部から前記周縁部に向かって弱くなる勾配を形成することを特徴とする。
【手続補正４】
【補正対象書類名】明細書
【補正対象項目名】０００７
【補正方法】変更
【補正の内容】
【０００７】
請求項４に記載の発明は、前記請求項１に記載の表示素子と光学フィルムの貼り付け方法において、前記通気性ステージは前記光学フィルムが載置される領域の中央に対応する中央ステージ部材と、前記中央ステージ部材の周囲を同心状に囲む枠形状に形成された複数の枠状ステージ部材と、が隣り合うステージ部材間を気密状態に遮断して配置された分割型ステージからなり、前記通気性ステージ上に前記光学フィルムを載置し、前記通気性ステージの各ステージ部材内の空気を排気して前記通気性ステージ上に前記光学フィルムを吸着し、前記密閉型容器内を減圧した後、前記各ステージ部材内の気圧を前記中央ステージ部材から外側の前記枠状ステージ部材に向かって順に昇圧させて、前記光学フィルムを前記中央部から前記周縁部に向かって押し付けて前記表示素子に貼り付けることを特徴とする。
【手続補正５】
【補正対象書類名】明細書
【補正対象項目名】０００８
【補正方法】変更
【補正の内容】
【０００８】
請求項５に記載の発明は、前記請求項１乃至４のいずれかに記載の表示素子と光学フィルムの貼り付け方法において、前記通気性ステージは板状の多孔質材からなり、前記光学フィルムの外形よりも小さい平面形状に形成されており、前記通気性ステージの上面全体が前記光学フィルム載置面となることを特徴とする。
また、請求項６に記載の発明は、前記請求項５に記載の液晶素子と光学フィルムの貼り付け方法において、前記多孔質材は多孔質セラミックであることを特徴とする。
【手続補正６】
【補正対象書類名】明細書
【補正対象項目名】０００９
【補正方法】変更
【補正の内容】
【０００９】
請求項７に記載の発明は、前記請求項１乃至６のいずれかに記載の表示素子と光学フィルムの貼り付け方法において、前記光学フィルムは偏光板、または、位相差板が一体的に積層して形成された位相差板付き偏光板であり、前記表示素子に対する前記貼り付け面に、粘着剤が塗布された前記粘着面が形成されていることを特徴とする。
また、請求項８に記載の発明は、前記請求項１乃至７のいずれかに記載の液晶素子と光学フィルムの貼り付け方法において、前記表示素子は前記通気性ステージに吸着された前記光学フィルムの上に、前記光学フィルムの前記粘着面に粘着しないように重ねて配置されるか、または、前記光学フィルムとの間に間隙を設けて配置されることを特徴とする。
また、請求項９に記載の発明は、前記請求項１乃至８のいずれかに記載の液晶素子と光学フィルムの貼り付け方法において、前記光学フィルムには、前記周縁部から前記中央部に向かって前記粘着面の方向に膨らむ湾曲した反り癖が予め付加されていることを特徴とする。
【手続補正７】
【補正対象書類名】明細書
【補正対象項目名】００１０
【補正方法】変更
【補正の内容】
【００１０】
請求項１０に記載の発明は、前記請求項１乃至９のいずれかに記載の表示素子と光学フィルムの貼り付け方法において、前記光学フィルムを前記表示素子に貼り付けた後に、ローラ掛けにより、前記光学フィルムと前記表示素子とをさらに強く貼り付けることを特徴とする。
また、請求項１１に記載の発明は、前記請求項１０に記載の液晶素子と光学フィルムの貼り付け方法において、前記ローラ掛けは、前記光学フィルムの前記中央部に対応する部分から開始することを特徴とする。
【手続補正８】
【補正対象書類名】明細書
【補正対象項目名】００４３
【補正方法】変更
【補正の内容】
【００４３】
（第２の実施形態）
図９〜図１９はこの発明の第２の実施例を示している。なお、この実施例において、前記第１の実施例に対応するものには図に同符号を付し、同一なものについてはその説明を省略する。